(57)【要約】【課題】この発明は、ローカル暗号化されてストレージ機器に記録されたコンテンツを、暗号化を施した機器以外の特定機器で再生することが許容された状況において、その暗号が解読されたコンテンツを特定機器が容易に取得することを可能としたコンテンツ出力装置及びコンテンツ出力方法、コンテンツ取得装置及びコンテンツ取得方法を提供することを目的としている。【解決手段】暗号化が施されたコンテンツとネットワーク１１上で自己を識別する識別情報とを対応付けてストレージ機器１４に記録させる。ネットワーク１１を介して供給されたコンテンツ取得要求に基づいて、要求されたコンテンツをストレージ機器１４から読み出し、その暗号化を解いてネットワーク１１上に送出する。【選択図】    図１
2006155332.tif 000002
【特許請求の範囲】
【請求項１】
ネットワークを介してコンテンツをストレージ機器に出力し記録させるコンテンツ出力装置であって、
コンテンツに対して暗号化処理を施す暗号化手段と、
前記暗号化手段により暗号化が施されたコンテンツと前記ネットワーク上で自己を識別する識別情報とを対応付けて、前記ストレージ機器に記録させる記録手段と、
前記ネットワークを介して供給されたコンテンツ取得要求に基づいて、要求されたコンテンツを前記ストレージ機器から読み出し、その暗号化を解き、さらに所定の処理を施して前記ネットワーク上に送出する出力手段とを具備することを特徴とするコンテンツ出力装置。
【請求項２】
前記出力手段は、
前記ネットワークを介して供給されたコンテンツ取得要求に基づいて、その要求を発生したネットワーク上の機器との認証を行なう認証手段を具備し、
前記認証手段により前記コンテンツ取得要求を受けることが可能であると判断されたとき、要求されたコンテンツを前記ストレージ機器から読み出し、その暗号化を解き、さらに所定の処理を施して前記ネットワーク上に送出することを特徴とする請求項１記載のコンテンツ出力装置。
【請求項３】
前記出力手段は、前記コンテンツ取得要求に基づいて前記ストレージ機器から読み出し暗号化を解いたコンテンツに対して、前記コンテンツ取得要求を発生した機器との間で成立する暗号化処理を施して前記ネットワーク上に送出することを特徴とする請求項１または２記載のコンテンツ出力装置。
【請求項４】
ネットワークを介してコンテンツをストレージ機器に出力し記録させるコンテンツ出力方法であって、
コンテンツに対して暗号化処理を施す第１の工程と、
前記第１の工程により暗号化が施されたコンテンツと前記ネットワーク上で自己を識別する識別情報とを対応付けて、前記ストレージ機器に記録させる第２の工程と、
前記ネットワークを介して供給されたコンテンツ取得要求に基づいて、要求されたコンテンツを前記ストレージ機器から読み出し、その暗号化を解き、さらに所定の処理を施して前記ネットワーク上に送出する第３の工程とを具備することを特徴とするコンテンツ出力方法。
【請求項５】
前記第３の工程は、前記ネットワークを介して供給されたコンテンツ取得要求に基づいて、その要求を発生したネットワーク上の機器との認証を行ない、認証の結果、前記コンテンツ取得要求を受けることが可能であると判断されたとき、要求されたコンテンツを前記ストレージ機器から読み出し、その暗号化を解き、さらに所定の処理を施して前記ネットワーク上に送出することを特徴とする請求項４記載のコンテンツ出力方法。
【請求項６】
前記第３の工程は、前記コンテンツ取得要求に基づいて前記ストレージ機器から読み出し暗号化を解いたコンテンツに対して、前記コンテンツ取得要求を発生した機器との間で成立する暗号化処理を施して前記ネットワーク上に送出することを特徴とする請求項４または５記載のコンテンツ出力方法。
【請求項７】
暗号化されたコンテンツと、そのコンテンツの暗号を解読可能な機器の識別情報とが対応付けて記録されたストレージ機器から、ネットワークを介して所定のコンテンツを取得するコンテンツ取得装置であって、
前記ストレージ機器に記録されたコンテンツから所定のコンテンツを選択する選択手段と、
前記選択手段で選択されたコンテンツに対応する識別情報で示される機器に対して、当該コンテンツをその暗号を解いて取得することを要求する要求手段と、
前記要求手段に基づいて前記機器からネットワーク上に送出されたコンテンツを取得する取得手段とを具備することを特徴とするコンテンツ取得装置。
【請求項８】
前記選択手段で選択されたコンテンツに対応する識別情報で示される機器は、要求されたコンテンツに暗号化処理を施してネットワーク上に送出し、
前記取得手段は、前記機器からネットワーク上に送出されたコンテンツを取得し、その暗号化を解くことを特徴とする請求項７記載のコンテンツ取得装置。
【請求項９】
暗号化されたコンテンツと、そのコンテンツの暗号を解読可能な機器の識別情報とが対応付けて記録されたストレージ機器から、ネットワークを介して所定のコンテンツを取得するコンテンツ取得方法であって、
前記ストレージ機器に記録されたコンテンツから所定のコンテンツを選択する第１の工程と、
前記第１の工程で選択されたコンテンツに対応する識別情報で示される機器に対して、当該コンテンツをその暗号を解いて取得することを要求する第２の工程と、
前記第２の工程による要求に基づいて前記機器からネットワーク上に送出されたコンテンツを取得する第３の工程とを具備することを特徴とするコンテンツ取得方法。
【請求項１０】
前記第１の工程で選択されたコンテンツに対応する識別情報で示される機器は、要求されたコンテンツに暗号化処理を施してネットワーク上に送出し、
前記第３の工程は、前記機器からネットワーク上に送出されたコンテンツを取得し、その暗号化を解くことを特徴とする請求項９記載のコンテンツ取得方法。
【発明の詳細な説明】
【技術分野】
【０００１】
この発明は、ネットワークを介してストレージ機器にコンテンツを出力して記録させるコンテンツ出力装置及びコンテンツ出力方法に関する。また、この発明は、ネットワークを介してストレージ機器からコンテンツを取得するコンテンツ取得装置及びコンテンツ取得方法に関する。
【背景技術】
【０００２】
周知のように、ネットワーク上の所定の機器から、共有化されたストレージ機器にコンテンツを記録する際には、コンテンツを平分のまま記録する場合と、コンテンツにローカル暗号化を施して記録する場合とがある。このローカル暗号化は、著作権保護等の観点からネットワークへのデータ流出を防止するために、暗号化した機器でのみ解読できる暗号化処理である。
【０００３】
ところで、今後、ますます多様化するネットワークを利用したデータ配信システムを考えると、ローカル暗号化されてストレージ機器に記録されたコンテンツを、暗号化を施した機器以外の機器でも、例えば特別な契約を締結することにより再生することが許容されるような使用形態も生じる。
【０００４】
特許文献１には、暗号化されて配信されたコンテンツデータを、暗号鍵を含むライセンスデータを用いて復調するシステムにおいて、ライセンスデータにユーザを識別するユーザ情報を含めることにより、ライセンスデータ単位でユーザ認証を行ない、適正なユーザであると判断された場合にコンテンツデータを解読することができるようにした技術が開示されている。
【特許文献１】特開２００４−１３３６５４号公報
【発明の開示】
【発明が解決しようとする課題】
【０００５】
そこで、この発明は上記事情を考慮してなされたもので、ローカル暗号化されてストレージ機器に記録されたコンテンツを、暗号化を施した機器以外の特定機器で再生することが許容された状況において、その暗号が解読されたコンテンツを特定機器が容易に取得することを可能としたコンテンツ出力装置及びコンテンツ出力方法、コンテンツ取得装置及びコンテンツ取得方法を提供することを目的とする。
【課題を解決するための手段】
【０００６】
この発明に係るコンテンツ出力装置は、ネットワークを介してコンテンツをストレージ機器に出力し記録させるものであって；コンテンツに対して暗号化処理を施す暗号化手段と；暗号化手段により暗号化が施されたコンテンツとネットワーク上で自己を識別する識別情報とを対応付けて、ストレージ機器に記録させる記録手段と；ネットワークを介して供給されたコンテンツ取得要求に基づいて、要求されたコンテンツをストレージ機器から読み出し、その暗号化を解き、さらに所定の処理を施してネットワーク上に送出する出力手段とを備えるようにしたものである。
【０００７】
また、この発明に係るコンテンツ出力方法は、ネットワークを介してコンテンツをストレージ機器に出力し記録させる方法であって；コンテンツに対して暗号化処理を施す第１の工程と；第１の工程により暗号化が施されたコンテンツとネットワーク上で自己を識別する識別情報とを対応付けて、ストレージ機器に記録させる第２の工程と；ネットワークを介して供給されたコンテンツ取得要求に基づいて、要求されたコンテンツをストレージ機器から読み出し、その暗号化を解き、さらに所定の処理を施してネットワーク上に送出する第３の工程とを備えるようにしたものである。
【０００８】
さらに、この発明に係るコンテンツ取得装置は、暗号化されたコンテンツと、そのコンテンツの暗号を解読可能な機器の識別情報とが対応付けて記録されたストレージ機器から、ネットワークを介して所定のコンテンツを取得するものであって；ストレージ機器に記録されたコンテンツから所定のコンテンツを選択する選択手段と；選択手段で選択されたコンテンツに対応する識別情報で示される機器に対して、当該コンテンツをその暗号を解いて取得することを要求する要求手段と；要求手段に基づいて機器からネットワーク上に送出されたコンテンツを取得する取得手段とを備えるようにしたものである。
【０００９】
また、この発明に係るコンテンツ取得方法は、暗号化されたコンテンツと、そのコンテンツの暗号を解読可能な機器の識別情報とが対応付けて記録されたストレージ機器から、ネットワークを介して所定のコンテンツを取得する方法であって；ストレージ機器に記録されたコンテンツから所定のコンテンツを選択する第１の工程と；第１の工程で選択されたコンテンツに対応する識別情報で示される機器に対して、当該コンテンツをその暗号を解いて取得することを要求する第２の工程と；第２の工程による要求に基づいて機器からネットワーク上に送出されたコンテンツを取得する第３の工程とを備えるようにしたものである。
【発明の効果】
【００１０】
上記した発明によれば、暗号化処理を施したコンテンツに、その暗号化処理を施した機器のネットワーク上における識別情報を対応付けてストレージ機器に記録するとともに、他の機器が、識別情報で示される機器に対して、当該コンテンツをその暗号を解いて取得することを要求可能としているため、例えば、暗号化されてストレージ機器に記録されたコンテンツを、暗号化を施した機器以外の特定機器で再生することが許容された状況においては、その暗号が解読されたコンテンツを特定機器が容易に取得することを可能とすることができる。
【発明を実施するための最良の形態】
【００１１】
以下、この発明の実施の形態について図面を参照して詳細に説明する。図１は、この実施の形態で説明するネットワークシステムの概略を示している。すなわち、ネットワークの中心に位置するハブ１１には、機器Ａとしてテレビジョン受信装置１２と、機器Ｂとして光ディスク装置１３と、共有化されたストレージ機器１４とが接続されている。
【００１２】
このうち、テレビジョン受信装置１２は、受信したコンテンツにローカル暗号化処理を施し、ハブ１１を介してストレージ機器１４に供給し記録させるとともに、ストレージ機器１４に記録されている暗号化されたコンテンツを読み出し、その暗号を解読して再生する機能を有している。
【００１３】
また、上記光ディスク装置１３は、例えばＤＶＤ（Digital Versatile Disk）等の光ディスクに対してコンテンツの記録再生を行なう機能を有している。また、この光ディスク装置１３は、上記テレビジョン受信装置１２によって暗号化されストレージ機器１４に記録されたコンテンツを、再生することが許容された状況にあるものとする。
【００１４】
図２は、上記テレビジョン受信装置１２の信号処理系を示している。すなわち、アンテナ１５で受信したテレビジョン放送信号は、入力端子１６を介してチューナ部１７に供給される。このチューナ部１７は、入力されたテレビジョン放送信号から所望の放送チャンネルの信号を選局して出力している。
【００１５】
このチューナ部１７から出力されたテレビジョン放送信号は、復調部１８及び信号処理部１９によりそれぞれ所定の復調処理及び信号処理が施されて元のテレビジョン信号に復元される。そして、この信号処理部１９から出力されたテレビジョン信号は、駆動部２０を介して映像表示部２１に供給されて映像表示に供される。
【００１６】
ここで、このテレビジョン受信装置１２は、上記した一連の動作を含むその全ての動作を制御部２２によって統括的に制御されている。この制御部２２は、ＣＰＵ（Central Processing Unit）等を内蔵しており、リモートコントローラ等を含む操作部２３からの操作情報を受けて、その操作内容が反映されるように各部をそれぞれ制御している。
【００１７】
この場合、制御部２２は、メモリ部２４を利用している。このメモリ部２４は、主として、ＣＰＵが実行する制御プログラムを格納したＲＯＭ（Read Only Memory）と、該ＣＰＵに作業エリアを提供するＲＡＭ（Random Access Memory）と、各種の設定情報及び制御情報等が格納される不揮発性メモリとを有している。
【００１８】
また、上記制御部２２には、インターフェース部２５が接続されている。このインターフェース部２５は、接続端子２６を介して上記ハブ１１に接続されている。これにより、制御部２２は、ハブ１１を介して、光ディスク装置１３及びストレージ機器１４とコンテンツの伝送を行なうことが可能になっている。
【００１９】
すなわち、上記制御部２２は、上記信号処理部１９から出力されたコンテンツ（テレビジョン信号）に対してローカル暗号化処理を施して、ストレージ機器１４に記録させることができる。この場合、制御部２２は、図３に示すように、ローカル暗号化されたコンテンツに、ネットワーク上で自己を識別可能とする識別情報を付加してストレージ機器１４に送出し、記録させるようにしている。
【００２０】
なお、識別情報は、図３に示すように、ローカル暗号化されたコンテンツの先頭に付加するだけに限らず、ローカル暗号化されたコンテンツの最後尾や、コンテンツの内部に組み込むようにすることも可能である。
【００２１】
また、ローカル暗号化されたコンテンツ自体に識別情報を付加する以外に、制御部２２が、図４に示すように、ローカル暗号化してストレージ機器１４に記録させたコンテンツのコンテンツ名と識別情報とを対応させる管理テーブルを作成し、この管理テーブルをストレージ機器１４に記録させるようにすることも可能である。
【００２２】
なお、この管理テーブルにおいて、コンテンツ名ｃのように識別情報が付加されていないコンテンツは、ローカル暗号化が施されずに記録されていることを示している。
【００２３】
要するに、ストレージ機器１４内に、ローカル暗号化されたコンテンツと、そのコンテンツにローカル暗号化を施した機器をネットワーク上で識別可能とするための識別情報とが、対応付けて記録されるようにしている。これにより、ネットワーク上の機器は、ストレージ機器１４の記録内容を見るだけで、どのコンテンツがどの機器でローカル暗号化されたのかを容易に判別することが可能となる。
【００２４】
ここで、上記識別情報には、ローカル暗号をかけた機器のネットワーク上の識別子が組み込まれる他に、ローカル暗号をかけた機器との間でセキュアな通信をして得た情報と組み合わせることにより、ローカル暗号を解くことができる鍵情報が含まれていても良いものである。
【００２５】
なお、ネットワーク上の識別子としては、例えば、NetBIOS（Network Basic Input／Output System）の名前、ＩＰ（Internet Protocol）アドレス、ＭＡＣ（Media Access Control）アドレス、ＵＰｎP（Universal Plug and Play）でアドレス解決するための識別情報等が用いられる。
【００２６】
図５は、上記光ディスク装置１３の信号処理系を示している。すなわち、ＤＶＤ等の光ディスク２７は、ディスクドライブ部２８に装着される。そして、再生が要求された場合には、ディスクドライブ部２８は、光ディスク２７からそこに記録されているデータを読み取って出力する。
【００２７】
そして、このディスクドライブ部２８から出力された信号は、エンコード／デコード部２９及び信号処理部３０によりそれぞれ所定のデコード処理及び信号処理が施されて元の映像や音声の信号に復元され、入出力端子３１から外部に導出される。
【００２８】
また、光ディスク２７に対して記録が要求された場合には、入出力端子３１に供給された映像や音声等の信号が、信号処理部３０及びエンコード／デコード部２９によりそれぞれ所定の信号処理及びエンコード処理が施されて記録用の信号に変換され、ディスクドライブ部２８を介して光ディスク２７に記録される。
【００２９】
ここで、この光ディスク装置１３は、上記した一連の動作を含むその全ての動作を制御部３２によって統括的に制御されている。この制御部３２は、ＣＰＵ等を内蔵しており、リモートコントローラ等を含む操作部３３からの操作情報を受けて、その操作内容が反映されるように各部をそれぞれ制御している。
【００３０】
この場合、制御部３２は、メモリ部３４を利用している。このメモリ部３４は、主として、ＣＰＵが実行する制御プログラムを格納したＲＯＭと、該ＣＰＵに作業エリアを提供するＲＡＭと、各種の設定情報及び制御情報等が格納される不揮発性メモリとを有している。
【００３１】
また、上記制御部３２には、インターフェース部３５が接続されている。このインターフェース部３５は、接続端子３６を介して上記ハブ１１に接続されている。これにより、制御部３２は、ハブ１１を介して、テレビジョン受信装置１２及びストレージ機器１４とコンテンツの伝送を行なうことが可能になっている。
【００３２】
ここにおいて、前述したように、光ディスク装置１３は、テレビジョン受信装置１２によってローカル暗号化されストレージ機器１４に記録されたコンテンツを再生することが許容された状況にある。
【００３３】
そして、光ディスク装置１３は、テレビジョン受信装置１２によってローカル暗号化されストレージ機器１４に記録されたコンテンツを再生する場合、まず、ストレージ機器１４に記録されたコンテンツから再生すべきコンテンツを選択する。その後、光ディスク装置１３は、選択したコンテンツに対応する識別情報から、ローカル暗号化をかけた機器がテレビジョン受信装置１２であることを判別する。
【００３４】
すると、光ディスク装置１４は、テレビジョン受信装置１２に対して、ストレージ機器１４に記録されているコンテンツを読み出し、そのローカル暗号化を解いて光ディスク装置１４に伝送するように要求する。
【００３５】
この要求を受けたテレビジョン受信装置１２は、光ディスク装置１３と認証を行ない、要求を受けても良いと判断した場合に、ストレージ機器１４からコンテンツを読み出し、そのローカル暗号化を解き、光ディスク装置１４との間でのみ成立するローカル暗号化処理を施して光ディスク装置１４に伝送する。これにより、光ディスク装置１３は、テレビジョン受信装置１２によってローカル暗号化されストレージ機器１４に記録されたコンテンツを再生することが可能となる。
【００３６】
図６乃至図８は、光ディスク装置１３が、テレビジョン受信装置１２によってローカル暗号化されストレージ機器１４に記録されたコンテンツを再生するための、上記した一連の処理動作をまとめたフローチャートを示している。
【００３７】
すなわち、コンテンツの再生が要求されることにより処理が開始（ステップＳ１）されると、光ディスク装置１３の制御部３２は、ステップＳ２で、ストレージ機器１４に記録されている複数のコンテンツの中から再生すべきコンテンツを選択し、ステップＳ３で、その選択されたコンテンツがローカル暗号化されているか否かを判別する。
【００３８】
そして、選択されたコンテンツがローカル暗号化されていないと判断された場合（ＮＯ）、制御部３２は、ステップＳ４で、ストレージ機器１４に対して選択したコンテンツの取得要求を発生し、ストレージ機器１４から送出されたコンテンツを受信して再生する。
【００３９】
その後、制御部３２は、ステップＳ５で、ストレージ機器１４からのコンテンツの受信が完了したか否かを判別し、完了していないと判断された場合（ＮＯ）、ステップＳ４の処理に戻り、完了したと判断された場合（ＹＥＳ）、コンテンツの再生処理を終了（ステップＳ６）する。
【００４０】
また、上記ステップＳ３で、選択されたコンテンツがローカル暗号化されていると判断された場合（ＹＥＳ）、制御部３２は、ステップＳ７で、ストレージ機器１４からそのコンテンツにローカル暗号をかけた機器（この場合、テレビジョン受信装置１２）の識別子を取得し、ステップＳ８で、その識別子に対応する機器をネットワーク上で検索する。
【００４１】
そして、制御部３２は、ステップＳ９で、識別子に対応する機器がネットワーク上に存在したか否かを判別し、存在しないと判断された場合（ＮＯ）、コンテンツの再生処理を中断（ステップＳ１２）する。
【００４２】
また、上記ステップＳ９で、識別子に対応する機器がネットワーク上に存在したと判断された場合（ＹＥＳ）、制御部３２は、ステップＳ１０で、その機器に対して、再生すべきコンテンツを通知し、ストレージ機器１４からコンテンツを読み出し、ローカル暗号化を解いて光ディスク装置１４に伝送するように要求する。
【００４３】
すると、この要求を受けた機器、つまり、この場合、テレビジョン受信装置１２の制御部２２は、ステップＳ１１で、要求を出した機器、つまり、光ディスク装置１３と認証を行ない、要求を受けても良いか否かを判別し、要求を受けてはいけないと判断された場合（ＮＯ）、コンテンツの再生処理を中断（ステップＳ１２）する。
【００４４】
また、上記ステップＳ１１で、要求を受けても良いと判断された場合（ＹＥＳ）、テレビジョン受信装置１２の制御部２２は、ストレージ機器１４から要求されているコンテンツを読み出しローカル暗号を解いた後、そのローカル暗号が解かれたコンテンツに対して光ディスク装置１４との間でのみ成立する、例えばＤＴＣＰ（Digital Transmission Content Protection）等のローカル暗号をかけて光ディスク装置１３に伝送する。
【００４５】
すると、光ディスク装置１３の制御部３２は、ステップＳ１３で、テレビジョン受信装置１２から送出されたコンテンツを受信し、そのローカル暗号を解いて再生する。その後、制御部３２は、ステップＳ１４で、テレビジョン受信装置１２からのコンテンツの受信が完了したか否かを判別し、完了していないと判断された場合（ＮＯ）、ステップＳ１３の処理に戻り、完了したと判断された場合（ＹＥＳ）、コンテンツの再生処理を終了（ステップＳ１５）する。
【００４６】
上記した実施の形態によれば、ローカル暗号をかけたコンテンツに、そのローカル暗号をかけた機器のネットワーク上における識別情報を対応付けてストレージ機器１４に記録するようにしている。このため、他の機器が、再生を要求したコンテンツにローカル暗号をかけた機器を容易に判別することができ、その機器に対してコンテンツのローカル暗号の解除と配信とを要求することにより、暗号が解読されたコンテンツを容易に取得することが可能となる。
【００４７】
また、テレビジョン受信装置１２は、光ディスク装置１３からコンテンツのローカル暗号化を解いて伝送する旨の要求があった場合、光ディスク装置１３と認証を行なって、その要求を受けて良いか否かを判別するとともに、光ディスク装置１３に対してコンテンツを伝送する場合には、光ディスク装置１３との間でのみ成立するローカル暗号化を施して伝送するようにしているので、コンテンツの秘匿性も十分に保持することができる。
【００４８】
なお、図９に示すように、光ディスク装置１３が、光ディスク２７に対する記録または再生用のコンテンツを暗号化し、自己の識別情報を対応付けてストレージ機器１４に記録させる機器Ａとしての機能を有し、テレビジョン受信装置１２が、ストレージ機器１４からコンテンツを選択し、そのコンテンツにローカル暗号化を施した機器を判別し、その機器に対してコンテンツの暗号解読と配信とを要求する機器Ｂとしての機能を持つことも可能である。
【００４９】
また、この他にも、機器Ａ，Ｂとしては、ＰＣ（Personal Computer）及びＳＴＢ（Set Top Box）等、種々のものが適応可能である。
【００５０】
さらに、各機器Ａ，Ｂ及びストレージ機器１４等は、ハブ１１に対して優先及び無線のいずれの形態で通信可能に接続されていても良いものである。
【００５１】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００５２】
【図１】この発明の実施の形態を示すもので、ネットワークシステムの概略を説明するために示すブロック構成図。
【図２】同実施の形態におけるネットワークに接続されたテレビジョン受信装置の信号処理系を説明するために示すブロック構成図。
【図３】同実施の形態におけるネットワークに接続されたストレージ機器に記録されるデータの一例を説明するために示す図。
【図４】同実施の形態におけるネットワークに接続されたストレージ機器に記録されるデータの他の例を説明するために示す図。
【図５】同実施の形態におけるネットワークに接続された光ディスク装置の信号処理系を説明するために示すブロック構成図。
【図６】同実施の形態におけるネットワークに接続された各装置の主要な処理動作を説明するために示すフローチャート。
【図７】同実施の形態におけるネットワークに接続された各装置の主要な処理動作を説明するために示すフローチャート。
【図８】同実施の形態におけるネットワークに接続された各装置の主要な処理動作を説明するために示すフローチャート。
【図９】同実施の形態における変形例を説明するために示すブロック構成図。
【符号の説明】
【００５３】
１１…ハブ、１２…テレビジョン受信装置、１３…光ディスク装置、１４…ストレージ機器、１５…アンテナ、１６…入力端子、１７…チューナ部、１８…復調部、１９…信号処理部、２０…駆動部、２１…映像表示部、２２…制御部、２３…操作部、２４…メモリ部、２５…インターフェース部、２６…接続端子、２７…光ディスク、２８…ディスクドライブ部、２９…エンコード／デコード部、３０…信号処理部、３１…入出力端子、３２…制御部、３３…操作部、３４…メモリ部、３５…インターフェース部、３６…接続端子。
【図１】
2006155332.tif 000003
【図２】
2006155332.tif 000004
【図３】
2006155332.tif 000005
【図４】
2006155332.tif 000006
【図５】
2006155332.tif 000007
【図６】
2006155332.tif 000008
【図７】
2006155332.tif 000009
【図８】
2006155332.tif 000010
【図９】
2006155332.tif 000011